【事件の表示】
　特許第２９２９１６６号「遊技機」の特許に対する特許異議の申立てについて、次のとおり決定する。
【結　論】
　訂正を認める。
　特許第２９２９１６６号の特許を維持する。
【理　由】
【１】手続きの経緯
　特許２９２９１６６号の請求項に係る発明（以下「本件発明」という。）は、特願平５−３４５９５４号（出願遡及日平成２年１２月２０日）の一部を分割して出願したものであって、平成１１年５月２１日に特許の設定登録がなされた。
　これに対して、「河井清悦」より特許異議の申立てがなされ、取消理由通知がなされ、その指定期間内である平成１２年７月１７日に訂正請求がなされたが、再度、取消理由通知がなされ、その指定期間内である平成１２年９月１９日に上記訂正請求が取り下げられるとともに新たな訂正請求がなされた。
【２】訂正の内容
（１）特許請求の範囲の訂正
　請求項を下記のとおり訂正。
　「開閉可能な開閉パネルの表面側に、球の貯留部と球を一列状態に案内する誘導案内部とを有する球供給皿を設けた遊技機において、
　上記開閉パネルは、長方形状の金属板からなる基板と、該開閉パネルの主要表面側に配設された合成樹脂部材とで構成し、
　上記球供給皿の貯留部及び誘導案内部の所定部位には、球が直に接触した状態で流下する金属薄板を敷設し、
　上記金属薄板は、上記誘導案内部から上記貯留部の底面の一部に連続する所要の長さに設定すると共に、当該金属薄板表面は上記球供給皿の他の底面とほぼ一致するように設定して、当該金属薄板後端縁は合成樹脂部材に開設された、上下方向の長さが球の直径よりも大きい誘導開口部内で該基板表面に当接して成り、
　上記合成樹脂部材の所要周縁には、該周縁から後方に向かうリブ状の縁部を一体に形成したことを特徴とする遊技機。」
（２）発明の詳細な説明の訂正
　特許明細書の段落【０００６】を下記のとおり訂正。
　「【課題を解決するための手段】
　本発明は、上記に鑑み提案されたもので、開閉可能な開閉パネル（５）の表面側に、球の貯留部（２８）と球を一列状態に案内する誘導案内部（２９）とを有する球供給皿（例えば、球供給皿６）を設けた遊技機（例えば、パチンコ機１）において、上記開閉パネルは、長方形状の金属板からなる基板と、該開閉パネルの主要表面側に配設された合成樹脂部材（意匠板８）とで構成し、上記球供給皿の貯留部及び誘導案内部の所定部位には、球が直に接触した状態で流下する金属薄板（レール３８）を敷設し、上記金属薄板は、上記誘導案内部から上記貯留部の底面の一部に連続する所要の長さに設定すると共に、当該金属薄板表面は上記球供給皿の他の底面とほぼ一致するように設定して、当該金属薄板後端縁は合成樹脂部材に開設された、上下方向の長さが球の直径よりも大きい誘導開口部内で該基板表面に当接して成り、上記合成樹脂部材の所要周縁には、該周縁から後方に向かうリブ状の縁部（１９）を一体に形成して構成したことを特徴とするものである。」
【３】訂正の適否についての判断
（１）特許請求の範囲の訂正
　上記訂正は、訂正前の請求項に記載された「金属薄板」が「金属薄板後端縁は合成樹脂部材に開設された、上下方向の長さが球の直径よりも大きい誘導開口部内で該基板表面に当接」することに限定するなど、いくつかの構成要件を明細書に記載されていた実施例に即して下位概念に限定したものであり、特許請求の範囲の減縮に該当し、新規事項の追加に該当せず、実質的に特許請求の範囲を拡張又は変更するものでもない。
（２）発明の詳細な説明の訂正
　上記訂正は、前記特許請求の範囲の減縮に伴って、減縮された特許請求の範囲の記載と発明の詳細な説明の記載とを整合させるための不明瞭な記載の釈明を目的とするものと認められる。
（３）むすび
　以上のとおりであるから、上記訂正は、特許法第１２０条の４第２，３項で準用する第１２６条第２，３項の規定に適合するので、当該訂正を認める。
【４】特許異議申立てについての判断
（１）本件発明
　本件請求項に係る発明は、上記訂正明細書の請求項に記載された事項により特定されるとおりのものである。
（２）異議申立ての理由の概要
　申立人は、証拠として甲第１〜５号証を提出し、訂正前の請求項に係る発明は、甲第１，３号証等に記載された発明に基いて当業者が容易に発明をすることができたものであり、特許法第２９条第２項の規定により、特許を受けることができないのものであるから、請求項に係る発明の特許を取り消すべき旨主張している。
（３）甲号各証
（３−１）上記甲号各証には、下記の事項が図面とともに記載されている。
＜甲第１号証（実願昭５６−４９４０７号（実開昭５７−１６３２７９号）のマイクロフィルム＞
　「本考案はパチンコ機の前面枠に装着される表機構板に関する。
　表機構板は、基板の前面に打球供給皿、基板の裏面に玉制御装置を配設してなり、打球及び入賞球に応じて排出される賞球を貯留し、貯留された打球を一列に整流し、打球発射装置の発射作動に連動して自動的に一個宛連続して発射位置に打球を送給するものであり、パチンコ機内の玉の集配の中心として機能すると共に、玉止りを生ずることなく確実かつ連続的に発射位置に送給するパチンコ機の機能上最も重要な機構の一つである。」（第２頁第１〜１１行）、
　「表機構板１４の基板１５の一側には、一方向に付勢を与えたバネ１６を介在させた係脱部１７と受部とから成る係脱自在の蝶着部１８を設けて、前面枠１の一側に開閉自在に係合すると共に、基板１５の他側には押圧によって解放する掛止部１９を設けて前面枠１の他側と係脱自在に装着する。」（第４頁第２０行〜第５頁第５行）、
　「基板１５の周縁には、上記蝶着部１８を設けた一側を除く周緑部を後方に折曲した折返部２０を設けて、基板１５の裏面に第１空間部９４を設ける。この折返部２０は基板１５自体を補強すると共に、ピアノ線の差込みによる不正行為を排除する効果がある。尚、この折返部２０は、後述の枠体６９の背面に形成する発射路側壁７３より基板１５側となるよう形成する。これは発射された打球に影響を与えないためである。」（第５頁第１０〜１８行）、
　「基盤１５の表面には、賞球口２１、抜取口２２、流入口２３、及び窓口２４に相応する貯留部２６、整流部２７、抜取分流装置収納部２８、分流樋２９及び窓枠３０を合成樹脂を以って一体的に成形した主要構成部３１を形成する。」（第６頁第２〜６行）、
  「整流部２７は貯留部２６の側壁３９を延設して、先端を基板１５の流入口２３に当接するよう形成し、先端部の側壁３９の内周面には、流入口２３に打球を円滑に導入するため９０度転向させる流路変更部４１を形成すると共に、流入口２３に当接する底面に分流口４２を開設する。整流部２７は、貯留部２６に石垣状となつて重なる打球を徐々に一列一段に均し、打球を連続的に流入口２３に送給するよう内周面を湾曲状に形成し、同時にヒケマークを生じないよう薄く成形する。更に、整流部２７の底面には、金属製プレート９３を貯留部２６の底面３８に亘って敷設し、打球の転動に対する摩擦を減じて円滑な打球の流れを図ると共に、底面の摩耗を防ぎ、合せて玉アカの付着を阻止する。」（第７頁第１０行〜第８頁第４行）。
＜甲第２号証（実願昭５６−４８０７６号（実開昭５７−１６０７８１号）のマイクロフィルム＞
　「本考案はパチンコ機の前面枠に装着する表機構板に関する。表機構板は、打球供給皿、抜取分流装置、供給停止装置及び打球供給装置から成る。打球供給皿は、貯留部と整流部から成り、貯留部は打球及び入賞に応じて排出される賞球を受けて貯留し、整流部は、貯留部に石垣状となって重なる打球を、徐々に一列一段に均して抜取分流装置に送給するものである。」（第２頁第９〜１７行）、
　「基板１５の周緑には、上記蝶着部１８を設けた一側を除き、折返部２０を設ける。これによって、基板１５自体の強度を増強すると共にピアノ線の差込みによる不正行為を排除する。」（第７頁第１６〜１９行）、
　「而して、基盤１５の表面には、賞球口２１、抜取口２２、流入口２３、及び窓口２４に相応する貯留部２６、整流部２７、抜取分流装置収納部２８、分流樋２９及び窓枠３０を合成樹脂を以って一体的に成形した主要構成部３１を形成する。」（第８頁第４〜８行）、
　「整流部２７は貯留部２６の側壁３９を延設して、先端を基板１５の流入口２３に当接するよう形成し、先端部の側壁３９の内周面には、流入口２３に打球を円滑に導入するため９０度転向させる流路変更部４１を形成すると共に、流入口２３に当接する底面に分流口４２を開設する。整流部２７は、貯留部２６に石垣状となって重なる打球を徐々に一列一段に均し、打球を連続的に流入口２３に送給するよう内周面を湾曲状に形成し、同時にヒケマークを生じないよう薄く成形する。更に、整流部２７の底面には、金属製プレート９３を貯留部２６の底面３８に亘って敷設し、打球の転動に対する摩擦を減じて円滑な打球の流れを図ると共に、底面の摩耗を防ぎ、合せて玉アカの付着を阻止する。」（第９頁第１２行〜第１０頁第６行）、
　「本考案は叙上の如く構成したものであるから、表機構板を構成する各種装置を小スペース内に機能的に配設し得ると共に、合成樹脂を以って肉薄成形を可能にし、十分な強度と多様なデザインを施し得る表機構板を提供し得るのである。」（第１８頁第２〜６行）。
＜甲第３号証（特開昭６０−５１８２号公報）＞
　「ほぼ中央部に窓孔が設けられた額縁状のパチンコ機の前枠を、合成樹脂の一体成型により成型したことを特徴とする、パチンコ機の前枠。」（特許請求の範囲第１項）、
　「前記窓孔周緑部に金枠保持用の溝部を形成し、前記前枠下方部には、操作ハンドル取付用貫通孔および玉受皿連絡口を形成したことを特徴とする、特許請求の範囲第１項または第２項記載のパチンコ機の前枠。」（特許請求の範囲第３項）、
　「前記前枠の前面の少なくとも一部に、熱硬化性の樹脂板を接合したことを特徴とする、特許請求の範囲第１項ないし第４項および第６項のいずれかに記載のパチンコ機の前枠。」（特許請求の範囲第７項）、
  「パチンコ機１は、外枠２と前枠３とを含む。外枠２は蝶番３５を介して前枠３を保持する。それゆえ前枠３は、正面から見てその左上下に取付けられた蝶番３５を中心に、外枠２に対して回動（開閉）可能である。」（第２頁左上欄第１９行〜右上欄第４行）、
  「この実施例の第１の特徴は、第１図に示すような必要な溝部や貫通孔等が形成されたパチンコ機の前枠３を、合成樹脂で一体成型したことである。」（第２頁右上欄第２０行〜左下欄第２行）、
　「パチンコ機の前枠３をこのように内部発泡層３Ｂを含む３層構造合成樹脂にしたことにより、次のような利点がある。
（１）軽量化が図れる。これは、通常の合成樹脂と比較して、内部に発泡層３Ｂを有するため、その発泡層３Ｂの樹脂密度が低いらである。
（２）騒音防止が図れる。これは内部発泡層３Ｂの吸音効果が高いためである。一般に、パチンコ機１では、打球音や供給，排出される賞品球の流動音等が前枠３に反響する。そして、たとえばパチンコ遊技店全体では、かなりの騒音が発生する。そこで、この実施例のように内部発泡層３Ｂを有する３層構造の前枠３を使用すれば、前枠３で反響する音は、内部発泡層３Ｂで吸収され、騒音の防止が図れることになる。
（３）振動の少ないパチンコ機となる。これは、３層構造の前枠３は、前述のように吸音効果がある他、振動の吸収等も行なうからである。それゆえ、打球操作による玉の反動等の振動が発泡層３Ｂで吸収され、顧客の手に振動が伝わりにくく、顧客は長時間遊技をしても疲れが少なくなる。
（４）美感の高いパチンコ機にできる。これは、内部に発泡層３Ｂを有する前枠３では、その表面のスキン層３Ａにいわゆる肉びけを生じない。それゆえ、前枠３表面の状態を均一に保つことができ、仕上がりの良い前枠３を形成することができるからである。」（第２頁右下欄第１行〜第３頁左上欄第７行）、
　「上記各実施例においては、前枠３，３’の前面下方部に設ける打球供給皿３８や玉受皿３３は、前面板３６や飾板３９を介して前枠３，３’にたとえばねじ等で取付ける構成とした。しかし、この打球供給皿３８や玉受皿３３を前枠３，３’と一体的に合成樹脂で成型するようにすることもできる。このように打球供給皿３８や玉受皿３３を一体的に構成すれば、パチンコ機全体の製造工程の簡易化が図れるという利点を有する。なお、この場合は前面板３６や飾板３９等は特に必要がなくなる。」（第４頁左上欄第１０〜２０行）」。
＜甲第４号証（実願昭６０−１７８６８５号（実開昭６２−８７６７６号）のマイクロフィルム＞
　「従来のパチンコ機においては、球発射装置に送り込む球を貯留するための上皿が取り付けられた前板と、前面ガラスを保持したガラス枠とがそれぞれ別体に構成され、この前板とガラス枠のそれぞれを、遊技盤が固定された本体枠に対して開閉自在になるように軸着している。このため、パチンコ機の前面側の構成が複雑となっており、部品点数の削減や組立時の作業効率の向上を図る上で問題がある。しかも、上皿から球発射装置に至る球送り経路に生じた球詰まりを解消する場合や、球発射装置の点検を行ったりする場合には、前板を開放する前にガラス枠を開放しなくてはならず、作業性が悪いという欠点もあった。
　こうした弊害を解消するために、前板とガラス枠とを樹脂成形により一体化し、これを本体枠に開閉自在に軸着するようにしたものが提案されている。」（第２頁第８行〜第３頁第５行）。
＜甲第５号証（特開昭６４−８３２８２号公報）＞
  「第３図および第４図を参照して前記打球供給皿５０について説明する。第３図は、打球供給皿５０の分解斜視図であり、第４図は、玉抜構造を示す一部分解斜視図である。図において、前記前面板５の前面には、打球供給皿５０が螺着されている。打球供給皿５０の上流側には、前記した景品玉出口５１が形成されているとともに、該景品玉出口５１の周囲を装飾する景品玉出口カバー５９が取り付けられている。なお、景品玉出口５１に対応する前面板５の裏面には、景品玉排出樋６７が固定され、前記景品玉排出口４１と打球供給皿５０とを接続するようになっている。
　また、打球供給皿５０の景品玉出口５１に対応する部分は、多量の景品玉を貯溜することができるように幅広の貯溜部５８となっており、下流に下るほど幅を狭くして、景品玉が一列になるような形状となっている。」（第６頁右上欄第１３行〜第６頁左下欄第９行）、
　「前記スライド板５６の摺動動作をより安定させるために、その側面にはスライド板カバー５７が取り付けられている。このスライド板カバー５７には、打球供給皿５０の整列部の下面を構成する流動円滑面５７ａが一体的に形成されており、打球供給皿５０内の景品玉を円滑に流動せしめるようになっている。このため、スライド板カバー５７は、ステンレスによって形成されている。」（第７頁左上欄第４〜１２行）。
（３−２）対比・判断
　訂正後の本件発明と上記甲号各証記載のものとを対比すると、甲号各証記載のものには、少なくとも本件発明の「金属薄板後端縁は合成樹脂部材に開設された、上下方向の長さが球の直径よりも大きい誘導開口部内で基板表面に当接」する点について何等記載されておらず、示唆もない。
　そして、本件発明は、上記構成と他の構成とが相俟って、「遊技球の接触頻度の高い部位における球供給皿の底面に球垢等の汚れが付着することを防いで、球の流下を安定させることができる」等の明細書記載の作用効果を奏するものである。
　したがって、本件発明は、甲第１，３号証等に記載された発明に基いて当業者が容易に発明をすることができたものとはいえない。
（４）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
【異議決定日】
平成１２年９月２８日（２０００．９．２８）
【訂正の要旨】
（１）特許請求の範囲の訂正
　請求項を下記のとおり訂正。
　「開閉可能な開閉パネルの表面側に、球の貯留部と球を一列状態に案内する誘導案内部とを有する球供給皿を設けた遊技機において、
　上記開閉パネルは、長方形状の金属板からなる基板と、該開閉パネルの主要表面側に配設された合成樹脂部材とで構成し、
　上記球供給皿の貯留部及び誘導案内部の所定部位には、球が直に接触した状態で流下する金属薄板を敷設し、
　上記金属薄板は、上記誘導案内部から上記貯留部の底面の一部に連続する所要の長さに設定すると共に、当該金属薄板表面は上記球供給皿の他の底面とほぼ一致するように設定して、当該金属薄板後端縁は合成樹脂部材に開設された、上下方向の長さが球の直径よりも大きい誘導開口部内で該基板表面に当接して成り、
　上記合成樹脂部材の所要周縁には、該周縁から後方に向かうリブ状の縁部を一体に形成したことを特徴とする遊技機。」
（２）発明の詳細な説明の訂正
　特許明細書の段落【０００６】を下記のとおり訂正。
　「【課題を解決するための手段】
　本発明は、上記に鑑み提案されたもので、開閉可能な開閉パネル（５）の表面側に、球の貯留部（２８）と球を一列状態に案内する誘導案内部（２９）とを有する球供給皿（例えば、球供給皿６）を設けた遊技機（例えば、パチンコ機１）において、上記開閉パネルは、長方形状の金属板からなる基板と、該開閉パネルの主要表面側に配設された合成樹脂部材（意匠板８）とで構成し、上記球供給皿の貯留部及び誘導案内部の所定部位には、球が直に接触した状態で流下する金属薄板（レール３８）を敷設し、上記金属薄板は、上記誘導案内部から上記貯留部の底面の一部に連続する所要の長さに設定すると共に、当該金属薄板表面は上記球供給皿の他の底面とほぼ一致するように設定して、当該金属薄板後端縁は合成樹脂部材に開設された、上下方向の長さが球の直径よりも大きい誘導開口部内で該基板表面に当接して成り、上記合成樹脂部材の所要周縁には、該周縁から後方に向かうリブ状の縁部（１９）を一体に形成して構成したことを特徴とするものである。」
（５４）【発明の名称】
遊技機
（５７）【特許請求の範囲】
　　【請求項１】　開閉可能な開閉パネルの表面側に、球の貯留部と球を一列状態に案内する誘導案内部とを有する球供給皿を設けた遊技機において、
　上記開閉パネル
は、長方形状の金属板からなる基板と、該開閉パネルの主要表面側に配設された
と
　上記球供給皿の貯留部及び誘導案内部の所定部位には、球が直に接触した状態で流下する金属薄板を敷設し、
　上記金属薄板は、上記誘導案内部から上記貯留部の底面の一部に連続する所要の長さに設定すると共に、当該金属薄板表面は上記球供給皿の他の底面とほぼ一致するように設定して
、当該金属薄板後端縁は合成樹脂部材に開設された、上下方向の長さが球の直径よりも大きい誘導開口部内で該基板表面に当接して
　上記合成樹脂部材の所要周縁には、該周縁から後方に向かうリブ状の縁部を一体に形成したことを特徴とする遊技機。
【発明の詳細な説明】
　　　【０００１】
　　【産業上の利用分野】
　本発明は、開閉可能な開閉パネルの表面側に、球の貯留部と球を一列状態に案内する誘導案内部とを有する球供給皿を設けた遊技機に関するものである。
　　　【０００２】
　　【従来の技術】
　従来のパチンコ機に代表される遊技機は、例えば、実開昭５７−１６０７８１号公報に記載されているように、前面枠の開放縁に取り付けた金枠に金属板製の開閉パネルの一側を開閉自在に軸着し、この開閉パネルの前面に球供給皿を取り付けてある。
　　　【０００３】
　　【発明が解決しようとする課題】
　しかしながら、従来の遊技機における開閉パネルは、金属面が露呈している構成なので装飾性に乏しく、装飾効果を高めようとしても、単に表面をメッキして輝かせたり、エンブレムを張り付ける程度の加工しかできなかった。特に、近来の遊技店では内装デザインが多様化して装飾性が向上しているばかりか、遊技店内に設置されている遊技機においても、女性客等へアピールすべく様々な意匠（役物の形状、模様もしくは色彩又はこれらの結合）を凝らした遊技盤が用いられるようになっており、遊技環境が変化してきているにも拘わらず、依然として球供給皿を有する開閉パネルの金属面が特に野暮ったい印象を与えてしまうことから、遊技機全体の外観における装飾効果を十分に高めるには至っていなかった。
　　　【０００４】
　また、開閉パネルの少なくとも前面側をプラスチック面で形成した場合には、開閉パネルの前面を多様に装飾し易くなる反面、プラスチックのために剛性が不足することになる。そして、剛性を高めるために、プラスチックの肉厚を厚くしょうとすると、プラスチック表面に肉引け等が生じ易くなって、逆に外観を損なうことにもなりかねないため、プラスチックにして開閉パネルの装飾性を高めようとする課題に相反することとなってしまう。
　　　【０００５】
　そこで、本発明は、開閉パネルの主要表面側を少なくとも合成樹脂部材で構成することにより、球供給皿と相俟って時流に合わせた遊技機全体の外観における装飾効果を十分、且つ積極的に高めると共に、合成樹脂部材の周縁に、後方に向かうリブ状の縁部を設けて構成することにより、開閉パネル表面側のプラスチックの肉厚を薄くすることができ、肉厚による肉引け等も防止でき、且つ剛性も十分に確保できる時流にあった外観を容易に成形できる遊技機の提供を目的とする。
　　　【０００６】
　　【課題を解決するための手段】
　本発明は、上記に鑑み提案されたもので、開閉可能な開閉パネル（５）の表面側に、球の貯留部（２８）と球を一列状態に案内する誘導案内部（２９）とを有する球供給皿（例えば、球供給皿６）を設けた遊技機（例えば、パチンコ機１）において、上記開閉パネル
は、長方形状の金属板からなる基板（７）と、該開閉パネルの主要表面側に配設された
（意匠板８）と
、当該金属薄板後端縁は合成樹脂部材に開設された、上下方向の長さが球の直径よりも大きい誘導開口部内で該基板表面に当接して
　　　【０００７】
　　【作用】
　開閉パネルの主要表面側を合成樹脂部材として、その表面が合成樹脂面となることにより、色彩及び形状の自由度が高くなる。また、一列状に球を案内する誘導案内部と、該誘導案内部に連なる貯留部との所定部位に対して金属薄板を敷設することにより金属面を形成したので、球供給皿を流下する球は、金属面に直に接触して一列状に流下することとなる。更に、合成樹脂部材の周縁に、後方に向かうリブ状の縁部を設けることにより、開閉パネル表面側のプラスチックの肉厚を薄くしても、開閉パネルの剛性を十分に確保することができる。
　　　【０００８】
　　【実施例】
　本発明に係る遊技機の一例たるパチンコ機１は、図１に示すように、機枠２に額縁状の前面枠３を開閉可能に蝶着し、前面枠３の開口部にはガラス枠４と開閉パネル５をそれぞれ独立して開閉可能に軸着し、開閉パネル５の前面に球供給皿６を取り付けてある。
　　　【０００９】
　而して、本実施例に示すパチンコ機１の開閉パネル５は、金属板からなる基板７と、プラスチック製の意匠板８とからなる。すなわち、この意匠板８によって、開閉パネル５の主要表面側が合成樹脂部材として、その表面が合成樹脂面で構成されることとなり、遊技機全体としての外観に影響を及ぼす開閉パネル５の主要表面を装飾性に富んだものに形成できる。また、基板７は、薄い金属板を横長な長方形に成形し、上端縁、下端縁、右側端縁には後方に向けて屈曲部９…を形成し、右側端縁には後方に向けて巻き込むようにして軸支承部１０を形成して該支承部１０により軸１１を固定し、上端縁の屈曲部９には更に下向きコ字状の阻止部１２を形成してピアノ線等の侵入を不能としてある。また、表面部１３の軸着基端側、即ち、図２中左側の上部には横長四角形の流出開口部１４を開設し、該流出開口部１４の下方に円形のスピーカー用開口部１５と略四角形のスイッチ用開口部１６を開設し、自由端側、即ち、右側には球が一列で通過し得る大きさの流入開口部１７を開設し、上端縁近傍の左右及び中央、並びに下端縁近傍の左右及び中央にそれぞれ止着孔１８…を開設する。
　　　【００１０】
　上記開閉パネル５の主要表面側に配される合成樹脂部材たる意匠板８は、上記基板７の表面部１３と同じ大きさ、或は僅かに小さな横長長方形のプラスチック製薄板状体であり、四周縁には後方に向かう縁部１９…を形成し、各縁部１９と表面部２０とが交わる部分、縁部１９，１９同士が交わる部分は曲面で構成してある。このように、リブ状の縁部１９…を意匠板８の周縁に形成することにより、合成樹脂製の薄板状体である意匠板８の剛性を高めることができる。そして、表面部２０には、基板７の流出開口部１４に対応する位置に横長四角形の流出口２１を開設するとともに該流出口２１の開口縁から後向きに断面略四角形の案内樋２２を意匠板８と一体成形して突設し、流出口２１の下方にはスピーカー用開口部１５に対応する位置に細かな効果音出口２３…を開設し、スイッチ用開口部１６に対応する位置にはスイッチ操作部材２４を保持するため前方に突出したスイッチ操作部材ホルダ２５を意匠板８と一体成形し、上記流入開口部１７に対応する位置に流入口２６を開設して該流入口２６と一連にして下端開口縁が僅かに傾斜した誘導開口部２７を開設してある。
　　　【００１１】
　なお、誘導開口部２７は、後述する球供給皿６の貯留部２８乃至誘導案内部２９の底面に沿うように位置及び傾斜を設定してあり、上下方向の長さは球の直径よりも大きく設定してある。また、この意匠板８の表面部２０には装飾効果を高めるために適宜な色彩、模様を付したり、或は、エンブレム３０を止着し、表面部２０には意匠板８を成形する際に、レリーフ模様を施してもよい。
　　　【００１２】
　上述したように、本実施例に係る遊技機としてのパチンコ機１では、開閉パネル５の主要表面側に合成樹脂製の意匠板８の表面前部２０が位置することとなるので、色彩や自由度の高い合成樹脂製の意匠板８で構成する開閉パネル５の表面形状を、時流に即した装飾効果の高いものとすることが出来る。特に、打球発射機構へ遊技媒体たる遊技球を供給する球供給皿６は、貯留球の残量確認等で遊技者の注意を引き易い部位であることから、当該球供給皿６が設けられる開閉パネル５の表面形状は、遊技機全体の外観から受ける印象に強く関与するので、開閉パネル５の主要表面に装飾性を付加することにより、遊技者に与える視覚的効果を高めることが出来る。なお、本実施例においては、横長な長方形の薄い金属板である基板７の前面を覆うような形状（横長な長方形）の意匠板８とし、意匠板８の四側縁に各々縁部１９…を形成するものとしたが、少なくとも開閉パネル５における主要表面（観者である遊技者にとって外観上の印象に大きな影響を与える表面領域）側のみを合成樹脂面としてあれば良い。また、本実施例において、開閉パネル５全体を合成樹脂で構成した場合には、そのまま表面が合成樹脂となることは言うまでもない。
　　　【００１３】
　また、意匠板８の裏面には、図４に示すように、基板７の止着孔１８に対応する位置には複数の屈曲脚３１…を有する止着具３２を設ける。したがって、意匠板８を基板７の表面部１３に取り付けるには、意匠板８の各止着具３２を基板７の止着孔１８内に前方から挿入し、屈曲脚３１…を折り曲げることにより止着することができる。なお、スイッチ操作部材ホルダ２５内にスイッチ操作部材２４を嵌め込んでおき、止着後に基板７に取り付けたスイッチ本体３３の操作子がスイッチ操作部材２４の前後動によって作動するようにしておく。
　　　【００１４】
　球供給皿６は、図５に示すように、後側面が開放して前後幅が比較的広い貯留部２８と、該貯留部２８の右側に次第に流路幅を狭めて貯留部２８から流下してくる球を一列に整列しながら誘導する誘導案内部２９とを備えた皿本体３４と、この皿本体３４の前部及び下部に取り付ける第１皿飾り部材３５、第２皿飾り部材３６、第３皿飾り部材３７などからなり、皿本体３４の後端縁に断面コ字状の薄い金属板からなるレール３８を嵌め付けて誘導案内部２９の底部から貯留部２８の底部の一部を他の部分の底面と面一状にして被覆してある。なお、レール３８は、後端縁が貯留部２８及び誘導案内部２９の後端縁からほぼ意匠板８の厚さ分だけ後方に突出する状態で止着されている。また、上記した第１皿飾り部材３５には貯留部２８内の球を抜き出すシャッター３９の駆動操作機構４０を組み込んである。
　　　【００１５】
　上記した構成からなる球供給皿６を開閉パネル５に取り付けるには、レール３８の後端縁を意匠板８の誘導開口部２７内に入れて基板７の表面部１３に当接するとともに球供給皿６の後端を意匠板８の表面部２０に当接し、この状態で基板７の裏側から挿通したねじの先端を球供給皿６のねじ孔内にねじ込むことにより基板７、意匠板８、及び球供給皿６を三位一体にして組み付ける。このようにして球供給皿６を開閉パネル５の前面に取り付けると、誘導案内部２９の傾斜下端が意匠板８の流入口２６に位置すると共に、意匠板８の流出口２１の前方に貯留部２８が位置する。
　　　【００１６】
　上述したように、本実施例に係る遊技機としてのパチンコ機１では、開閉パネル５の球供給皿６の貯留部２８及び誘導案内部２９には、金属板よりなるレール３８の上面が所要長さに連続して位置することとなるので、流下する球が直に接触する底面としての機能をレール３８の上面が担うことになる。
　　　【００１７】
　従って、球供給皿６内から打球発射機構の発射位置へ一列状に流下する球は、球供給皿６の貯留部２８及び誘導案内部２９との所定部位に構成した金属面に接触して流下することとなり、遊技球が直に接触する頻度の高い部位における合成樹脂製の球供給皿６の底面である合成樹脂面が金属製球との接触によって荒れたり、球垢等の汚れが付着したりすることを防ぎ、清掃作業等の煩雑さを軽減できると共に、汚損によって球供給皿の美観を損ねることを効果的に防ぐことが出来る。
　　　【００１８】
　また、開閉パネル５の裏面には、図３に示すように、スピーカー４１、スイッチ３３などを取り付けると共に、プラスチック製のケース４２を取り付ける。このケース４２の内部には、図６に示すように、基板７の流入開口部１７に上端入口が連通して下端が発射レールに臨んで開口する球供給口４３に連通する球導入流路４４を形成してあり、この球導入流路４４の途中にシャッター３９を設け、球供給口４３の手前に球供給部材４５を揺動自在に軸着し、該球供給部材４５に設けた永久磁石４６に臨ませて電磁石４７を取り付け、前記した球供給皿６の駆動操作機構４０をシャッター３９に接続してある。
　　　【００１９】
　開閉パネル５の軸１１を前面枠３側の軸受に差し込んで開閉パネル５を閉じると、基板７の流出開口部１４を貫通して　開閉パネル５の後方に突出した案内樋２２がパチンコ機１本体側の賞球排出樋（図示せず）に接続し、球供給口４３が発射レールの上方に位置する。
　　　【００２０】
　したがって、この状態で遊技者が球を球供給皿６内に投入すると、これらの球は誘導案内部２９によって一列に整列されながらレール３８上を流下し、誘導案内部２９を流下した球は意匠板８の流入口２６、基板７の流入開口部１７を通過してケース４２内の球導入流路４４を流下し、最先の球は球供給部材４５に当って停止する。なお、遊技者が球を貯留部２８内に投入した場合、開閉パネル５の前面に位置する球は、球面の下端が金属製のレール３８に接触して支持され、球面の開閉パネル５側端部が意匠板８の誘導開口部２７内に入って金属板製の基板７の表面に接触するので、転がり抵抗がプラスチックに接触して転動する場合よりも小さい。したがって、球は小さな転がり抵抗で円滑に流下し、底面が僅かな下り傾斜であっても貯留部２８や誘導案内部２９で球止まりが発生することは殆どない、という効果も期せる。
　　　【００２１】
　遊技者が発射操作ハンドル４８を操作すると、打球発射機構の発射装置が作動して発射杆が往復回動するとともに、この発射杆の回動に同期して電磁石４７が励磁、消磁を繰り返す。電磁石４７が励磁、消磁を繰り返すと、球供給部材４５が軸４９を中心に揺動するので、これにより球導入流路４４内の球が最先のものから順に一個宛球供給口より発射レールの発射位置に供給される。そして、発射位置に供給された球は、発射杆の回動により遊技盤表面の遊技部内に発射される。
　　　【００２２】
　遊技部内に発射した球が入賞すると、賞球排出装置が作動して所定数の賞球が賞球排出樋内を流下し、これらの賞球が案内樋２２から貯留部２８内に排出される。また、開閉パネル５に設けたスイッチの操作部材２４を遊技者が操作するなどの外部操作を行うと、例えば可変表示装置の可変表示を停止できるなど、所定の技術介入が可能である。
　　　【００２３】
　また、遊技を終了して球供給皿６内の球を景品と交換したり、或は他のパチンコ機１に移動する場合には、球供給皿６の球抜き操作部を操作することによりシャッター３９を移動すると、球供給皿６の貯留部２８及び誘導案内部２９内の球が球抜き流下路を通って下皿５０に排出される。
　　　【００２４】
　なお、開閉パネル５には、前記したスピーカー４１や外部操作用スイッチ３３のほかに、遊技に係わる部材を組み付けることができる。例えば、図７に示すように、意匠板８の表面部２０にカード挿入口５１を開設すると共に、該カード挿入口５１の周囲に傾斜面を有するカード挿入案内部５２を一体成形し、基板７にはカード挿入口５１に対応する位置に開口部５３を開設し、基板７の裏面側にカードリーダーライター５４を取り付けるように構成してもよい。
　　　【００２５】
　　【発明の効果】
　以上説明したように本発明に係る遊技機は、開閉パネルの主要表面側を合成樹脂部材として、その表面が合成樹脂面となるようにしたので、色彩及び形状の自由度が高い開閉パネルの外観を得ることができ、球供給皿共々時流に合う意匠を凝らした装飾を開閉パネル表面へ多様に施すことが可能になる。従って、従来のパチンコ機に比較すると、比較的遊技者の視線を集め易い開閉パネルのデザイン自由度を高めて外観を良好ならしめることにより、遊技機全体の外観における装飾効果を十分、且つ積極的に高められる遊技機と成し得るのである。
　　　【００２６】
　また、一列状に球を案内する誘導案内部と、該誘導案内部に連なる貯留部との所定部位に対して金属薄板を敷設することにより金属面を形成したので、球供給皿を流下する球は、金属面に直に接触して一列状に流下することとなり、遊技球の接触頻度の高い部位における球供給皿の底面に球垢等の汚れが付着することを防いで、球の流下を安定させることができる。しかも、清掃作業等の煩雑さを軽減できると共に、汚損によって球供給皿の美的外観が損なわれることを効果的に防ぐという効果もある。
　　　【００２７】
　更に、合成樹脂部材の周縁には後方に向うリブ状の縁部を設けたので、合成樹脂部材自体の剛性を高めることが可能となり、合成樹脂部材自体を薄く成形しても、開閉パネルの剛性を十分に確保することが可能となる。従って、肉厚による肉引け等を防止できて合成樹脂面の美観を損なうことがなく、時流にあった外観を容易に成形することができる、装飾性の高い開閉パネルを遊技機に与えることが出来る。
【図面の簡単な説明】
　　【図１】
　パチンコ機の前面枠を開放した状態における斜視図である。
　　【図２】
　開閉パネルの基板と意匠板を分離した状態における斜視図である。
　　【図３】
　開閉パネルの裏側から見た斜視図である。
　　【図４】
　基板と意匠板とを接合する状態を示す斜視図である。
　【図５】
　球供給皿の分解斜視図である。
　【図６】
　ケースの分解斜視図である。
　【図７】
　開閉パネルにカードリーダーライターを取り付けた実施例の断面図である。
　【符号の説明】
　　　　１　パチンコ機
　　　　５　開閉パネル
　　　　６　球供給皿
　　　　８　意匠板
　　　１９　縁部
　　　２８　貯留部
　　　２９　誘導案内部
　　　３８　レール